(57)【要約】【課題】布設時に編組が変形せず、しかも内部への浸水が防止できる通信用ケーブルを提供する。【解決手段】磁性コア７の周囲に銅線を方打ち編組した中心導体８と、その中心導体８の周囲に配置される絶縁体９と、その絶縁体９の周囲に銅線を方打ち編組した外部導体１０と、その外部導体１０の周囲を覆う内被１４と、その内被１４の周囲を密着性弱く覆う外被１６とを有する。内被１４に対する外被１６の密着を弱めるために、テープ１２を設ける。【選択図】　　　　図１
2004014166.tif 000002
【特許請求の範囲】
【請求項１】
磁性コアの周囲に銅線を方打ち編組した中心導体と、その中心導体の周囲に配置される絶縁体と、その絶縁体の周囲に銅線を方打ち編組した外部導体と、その外部導体の周囲を覆う内被と、その内被の周囲を密着性弱く覆う外被とを有することを特徴とする通信用ケーブル。
【請求項２】
前記内被と前記外被との間に融着防止テープを有することを特徴とする請求項１記載の通信用ケーブル。
【請求項３】
前記融着防止テープが非金属で、かつ前記内被に対しても前記外被に対しても密着性の弱い材料で構成されていることを特徴とする請求項１又は２記載の通信用ケーブル。
【請求項４】
磁性コアの周囲に銅線を方打ち編組した中心導体と、その中心導体の周囲に配置される絶縁体と、その絶縁体の周囲に銅線を方打ち編組した外部導体と、その外部導体に平行に配置された非金属材料からなる自己支持線と、前記外部導体及び自己支持線を覆う外被とを有することを特徴とする通信用ケーブル。
【発明の詳細な説明】
【０００１】
【発明の属する技術分野】
本発明は、導体が編組で構成されている通信用ケーブルに係り、特に、布設時に編組が変形せず、しかも内部への浸水が防止できる通信用ケーブルに関するものである。
【０００２】
【従来の技術】
移動体への情報伝達に使用される高利得型の路側通信用ケーブルとして、従来、図３のような通信用ケーブルが知られている。この通信用ケーブルは、磁性コア１の周囲に銅線を方打ち編組した中心導体（内部導体ともいう）２と、その中心導体２の周囲に配置される絶縁体３と、その絶縁体３の周囲に銅線を方打ち編組した外部導体４と、その外部導体４に平行に配置された自己支持線５と、前記外部導体４及び自己支持線５を覆う外被６とを有する。
【０００３】
この通信用ケーブルは、アンテナと同軸ケーブルの両者の特性を合わせ持つケーブルで、延線された通信用ケーブルに沿って収束性の良い電磁界を外部の空間に発生させ、移動体への情報伝達を可能にする。
【０００４】
【発明が解決しようとする課題】
前記従来の通信用ケーブルは、その電気特性が金属製の自己支持線５の影響を大きく受けており、必要な受信電界が得られないことがある。
【０００５】
しかし、自己支持線５を有しない構造にした場合、ケーブル布設時に外被６に張力がかかるため、その外被６の引っ張りに伴い、中心導体２及び外部導体４の編組ピッチが伸びてしまい、電気特性が変化するという問題が生じる。
【０００６】
また、外的要因により外被６に亀裂が発生した場合、浸水により電気特性が劣化するという問題もある。
【０００７】
そこで、本発明の目的は、上記課題を解決し、布設時に編組が変形せず、しかも内部への浸水が防止できる通信用ケーブルを提供することにある。
【０００８】
【課題を解決するための手段】
上記目的を達成するために本発明は、磁性コアの周囲に銅線を方打ち編組した中心導体と、その中心導体の周囲に配置される絶縁体と、その絶縁体の周囲に銅線を方打ち編組した外部導体と、その外部導体の周囲を覆う内被と、その内被の周囲を密着性弱く覆う外被とを有するものである。
【０００９】
前記内被と前記外被との間に融着防止テープを有してもよい。
【００１０】
前記融着防止テープが非金属で、かつ前記内被に対しても前記外被に対しても密着性の弱い材料で構成されていてもよい。
【００１１】
また、本発明は、磁性コアの周囲に銅線を方打ち編組した中心導体と、その中心導体の周囲に配置される絶縁体と、その絶縁体の周囲に銅線を方打ち編組した外部導体と、その外部導体に平行に配置された非金属材料からなる自己支持線と、前記外部導体及び自己支持線を覆う外被とを有するものである。
【００１２】
【発明の実施の形態】
以下、本発明の一実施形態を添付図面に基づいて詳述する。
【００１３】
図１に示されるように、本発明に係る通信用ケーブルは、磁性コア７の周囲に銅線を方打ち編組した中心導体（内部導体ともいう）８と、その中心導体８の周囲に配置される絶縁体９と、その絶縁体９の周囲に銅線を方打ち編組した外部導体１０と、その外部導体１０の周囲を覆う内被１１と、その内被１１の周囲を覆う融着防止テープ１２と、その融着防止テープ１２の周囲を覆う外被１３とを有する。
【００１４】
この通信用ケーブルは、従来のような金属製の自己支持線がないので、受信電界強度が向上する。
【００１５】
また、この通信用ケーブルは、内被１１と外被１３との間に非金属で、かつ内被１１に対して或いは外被１３に対して或いは内被１１、外被１３の両方に対して密着性の弱い融着防止テープ１２が設けられているので、内被１１と外被１３との密着性が弱められている。従って、布設時に張力が外被１３にかかることがあっても、内被１１には張力がかからず、中心導体８の編組及び外部導体１０の編組は保護される。このように、自己支持線がなくても、布設時の編組のピッチずれが防止される。
【００１６】
また、この通信用ケーブルは、外的要因により外被１３に亀裂が発生しても、内被１１にて水の浸入を防止することができる。
【００１７】
図２に示した通信用ケーブルは、図１と同様に磁性コア７、中心導体８、絶縁体９、外部導体１０を形成し、その外部導体１０を覆う内被として耐候性の良いポリエチレン１４を使用し、融着防止層としてポリエステル系のテープ１５を横巻きした上に、外被としてビニル１６を被覆している。外被にはビニルの他に、ポリエチレン、難燃ポリエチレン、難燃ビニルなどが使用可能である。
【００１８】
本発明により受信電界強度が向上することを試験により確認した。試験サンプル１として従来の通信用ケーブル、試験サンプル２として本発明の通信用ケーブルを用い、フィールド上に約１００ｍのケーブルを延線し、そのケーブルより１０ｍおよび１４ｍはなれた地点でループアンテナにより受信電界を測定し、空間損失を計算した。この試験は、天候等の条件を考慮し、３回に分けて行った。
【００１９】
表１に試験結果を示す。１０ｍおよび１４ｍの距離の欄に対してサンプル１、サンプル２のそれぞれについて３回の測定値が記入されている。各空間損失の値やその平均値から、本発明の通信用ケーブルであるサンプル２が従来のサンプル１より優れていることがはっきり表れている。
【００２０】
【表１】
2004014166.tif 000003
【００２１】
図１、図２の実施形態では、自己支持線をなくしたことによって受信電界強度が向上している。しかし、次の実施形態では、自己支持線を金属製でなくすることによって受信電界強度を向上させる。即ち、図３と同様の構造において、自己支持線５に金属以外の材料、即ち、ガラス繊維、化学繊維等の材料を使用する。これにより、自己支持線５を持つ通信用ケーブルでありながら、図１、図２の実施形態と同様の受信電界強度向上の効果が得られる。
【００２２】
【発明の効果】
本発明は次の如き優れた効果を発揮する。
【００２３】
（１）金属製の自己支持線がないので、受信電界強度が向上する。
【００２４】
（２）外被にかかる張力が内被には及ばないので、編組が保護される。
【００２５】
（３）外被に亀裂ができても内被で水を防ぐことができる。
【図面の簡単な説明】
【図１】本発明の一実施形態を示す自己支持線を持たない通信用ケーブルの断面構造図である。
【図２】本発明の一実施形態を示す自己支持線を持たない通信用ケーブルの斜視構造図である。
【図３】自己支持線を持つ通信用ケーブルの断面構造図である。
【符号の説明】
７　磁性コア
８　中心導体
９　絶縁体
１０　外部導体
１１　内被
１２　融着防止テープ
１３　外被
【図１】
2004014166.tif 000004
【図２】
2004014166.tif 000005
【図３】
2004014166.tif 000006